【手続補正書】
【提出日】平成23年4月26日(2011.4.26)
【手続補正１】
【補正対象書類名】明細書
【補正対象項目名】０００６
【補正方法】変更
【補正の内容】
【０００６】
上記課題を解決するため、請求項１に記載の発明の撮像装置は、
背景内に被写体が存在する複数の被写体存在画像を撮像する第１撮像手段と、前記複数の被写体存在画像の撮像の際の撮像条件と同じ撮像条件で、前記背景と同一の背景内に前記被写体の存在しない前記背景画像を撮像する第２撮像手段と、前記複数の前記被写体存在画像の各々と前記背景画像との位置合わせを行う位置合わせ手段と、前記位置合わせ手段により位置合わせされた前記複数の被写体存在画像の各々と前記背景画像との間で対応する各画素の差分情報を生成する差分生成手段と、前記差分生成手段により生成された前記差分情報に基づいて、前記複数の被写体存在画像の各々から被写体が含まれる被写体領域を抽出し、抽出した複数の被写体領域を取得する被写体抽出手段と、前記被写体抽出手段によって抽出した複数の被写体領域を一つの画像に重ね合わせ合成して一つの合成画像を生成する合成手段と、を備えることを特徴としている。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
請求項２に記載の発明の画像処理方法は、
撮像手段を備える撮像装置に、背景内に被写体が存在する複数の被写体存在画像を前記撮像手段に撮像させる処理と、前記複数の被写体存在画像の撮像後、当該複数の被写体存在画像の撮像の際の撮像条件と同じ撮像条件で、前記背景と同一の背景内に前記被写体の存在しない前記背景画像を前記撮像手段に撮像させる処理と、前記複数の被写体存在画像の各々と前記背景画像との位置合わせを行う処理と、位置合わせされた前記複数の被写体存在画像の各々と前記背景画像との間で対応する各画素の差分情報を生成する処理と、生成された前記差分情報に基づいて、前記複数の被写体存在画像の各々から被写体が含まれる被写体領域を抽出する処理と、抽出した複数の被写体領域を一つの画像に重ね合わせ合成して一つの合成画像を生成する処理と、を実行させることを特徴としている。
【手続補正２１】
【補正対象書類名】明細書
【補正対象項目名】００２６
【補正方法】変更
【補正の内容】
【００２６】
請求項３に記載の発明のプログラムは、
撮像手段を備える撮像装置のコンピュータを、背景内に被写体が存在する複数の被写体存在画像を撮像する第１撮像手段、前記複数の被写体存在画像の撮像の際の撮像条件と同じ撮像条件で、前記背景と同一の背景内に前記被写体の存在しない前記背景画像を撮像する第２撮像手段、前記複数の前記被写体存在画像の各々と前記背景画像との位置合わせを行う位置合わせ手段、前記位置合わせ手段により位置合わせされた前記複数の被写体存在画像の各々と前記背景画像との間で対応する各画素の差分情報を生成する差分生成手段、前記差分生成手段により生成された前記差分情報に基づいて、前記複数の被写体存在画像の各々から被写体が含まれる被写体領域を抽出し、抽出した複数の被写体領域を取得する被写体抽出手段、前記被写体抽出手段によって抽出した複数の被写体領域を一つの画像に重ね合わせ合成して一つの合成画像を生成する合成手段、として機能させることを特徴としている。
【手続補正２２】
【補正対象書類名】特許請求の範囲
【補正対象項目名】全文
【補正方法】変更
【補正の内容】
【特許請求の範囲】
【請求項１】
背景内に被写体が存在する複数の被写体存在画像を撮像する第１撮像手段と、
前記複数の被写体存在画像の撮像の際の撮像条件と同じ撮像条件で、前記背景と同一の背景内に前記被写体の存在しない前記背景画像を撮像する第２撮像手段と、
前記複数の前記被写体存在画像の各々と前記背景画像との位置合わせを行う位置合わせ手段と、
前記位置合わせ手段により位置合わせされた前記複数の被写体存在画像の各々と前記背景画像との間で対応する各画素の差分情報を生成する差分生成手段と、
前記差分生成手段により生成された前記差分情報に基づいて、前記複数の被写体存在画像の各々から被写体が含まれる被写体領域を抽出し、抽出した複数の被写体領域を取得する被写体抽出手段と、
前記被写体抽出手段によって抽出した複数の被写体領域を一つの画像に重ね合わせ合成して一つの合成画像を生成する合成手段と、
を備えることを特徴とする撮像装置。
【請求項２】
撮像手段を備える撮像装置に、
背景内に被写体が存在する複数の被写体存在画像を前記撮像手段に撮像させる処理と、
前記複数の被写体存在画像の撮像後、当該複数の被写体存在画像の撮像の際の撮像条件と同じ撮像条件で、前記背景と同一の背景内に前記被写体の存在しない前記背景画像を前記撮像手段に撮像させる処理と、
前記複数の被写体存在画像の各々と前記背景画像との位置合わせを行う処理と、
位置合わせされた前記複数の被写体存在画像の各々と前記背景画像との間で対応する各画素の差分情報を生成する処理と、
生成された前記差分情報に基づいて、前記複数の被写体存在画像の各々から被写体が含まれる被写体領域を抽出し、抽出した複数の被写体領域を取得する処理と、
抽出した複数の被写体領域を一つの画像に重ね合わせ合成して一つの合成画像を生成する処理と、
を実行させることを特徴とする画像処理方法。
【請求項３】
撮像手段を備える撮像装置のコンピュータを、
背景内に被写体が存在する複数の被写体存在画像を撮像する第１撮像手段、
前記複数の被写体存在画像の撮像の際の撮像条件と同じ撮像条件で、前記背景と同一の背景内に前記被写体の存在しない前記背景画像を撮像する第２撮像手段、
前記複数の前記被写体存在画像の各々と前記背景画像との位置合わせを行う位置合わせ手段、
前記位置合わせ手段により位置合わせされた前記複数の被写体存在画像の各々と前記背景画像との間で対応する各画素の差分情報を生成する差分生成手段、
前記差分生成手段により生成された前記差分情報に基づいて、前記複数の被写体存在画像の各々から被写体が含まれる被写体領域を抽出し、抽出した複数の被写体領域を取得する被写体抽出手段、
前記被写体抽出手段によって抽出した複数の被写体領域を一つの画像に重ね合わせ合成して一つの合成画像を生成する合成手段、
として機能させることを特徴とするプログラム。